(57)【要約】      （修正有）【課題】昇降装置及び太陽光発電装置を備えた交通信号機を提供する。【解決手段】第一装置主体１１、前記第一装置主体の上側端面に左右対称で設置される昇降装置、前記昇降装置の上端に設置される太陽エネルギー装置及び前記第一装置主体の下端面に設置される前進装置を含み、前記昇降装置が前記第一装置主体の上側端面に固定接続される第一接続支柱２１を含み、左右対称で設置される前記第一接続支柱の向こう側に第二接続支柱２９が設置され、前記第一接続支柱の前後側端面に第一固定ブロック３１が固定接続され、前記第二接続支柱の後ろ端面に上下貫いて且つ開き口が後ろ向きの第一昇降溝が設置され、後ろ側にある前記第一固定ブロックの前側端面に前記第一昇降溝に入り込み且つ上下滑動できる第二固定ブロックが固定設置される。【選択図】図１
2019190262.tif 000002
【特許請求の範囲】
【請求項１】
第一装置主体、前記第一装置主体の上側端面に左右対称で設置される昇降装置、前記昇降装置の上端に設置される太陽エネルギー装置及び前記第一装置主体の下端面に設置される前進装置を含み、前記昇降装置が前記第一装置主体の上側端面に固定接続される第一接続支柱を含み、左右対称で設置される前記第一接続支柱の向こう側に第二接続支柱が設置され、前記第一接続支柱の前後側端面に第一固定ブロックが固定接続され、前記第二接続支柱の後ろ端面に上下貫いて且つ開き口が後ろ向きの第一昇降溝が設置され、後ろ側にある前記第一固定ブロックの前側端面に前記第一昇降溝に入り込み且つ上下滑動できる第二固定ブロックが固定設置され、前記第二接続支柱の前側端面に上下貫いて且つ開き口が前向きの第二昇降溝が設置され、前側にある前記第一固定ブロックの後ろ側端面に前記第二昇降溝に入り込む第三固定ブロックが固定接続され、前記第二接続支柱の中に第三昇降溝が左右貫いて設置され、前記第一接続支柱が前記第三昇降溝に近づく片側端面に前記第三昇降溝に入り込む第四固定ブロックが前後対称で固定設置され、前記第三昇降溝の後ろ側内壁に第一電機が固定設置され、前記第一電機の前側且つ前記第三昇降溝の中にある回れる且つ前記第四固定ブロックに噛み合い係合接続される第一歯車が前後対称で設置され、前後対称で設置される前記第一歯車の間に第一線巻き輪が設置され、前記第一巻き輪と前記第一歯車が同じ回転軸を通じて前記第一電機の先端に動力で係合接続され、前記第一線巻きに第一張り線が巻き付かれ、前記第二接続支柱が前記第一接続支柱から離れる片側に第三接続支柱が設置され、前記第三接続支柱の前後側端面に第五固定ブロックが固定接続され、前記第二接続支柱の後ろ側端面に上下貫いて且つ開き口が後ろ向きの第四昇降溝が設置され、後ろ側にある前記第五固定ブロックの前側端面に前記第四昇降溝に入り込み且つ前記第四昇降溝の内壁に滑り係合接続される第六固定ブロックが固定設置され、前記第二接続支柱の前側端面に上下貫いて且つ開き口が前向きの第五昇降溝が設置され、前記第五固定ブロックの後ろ側端面に前記第五昇降溝に入り込み且つ前記第五昇降溝の内壁に滑り係合接続される第七固定ブロックが固定設置され、前記第三接続支柱が前記第三昇降溝に近づく片側端面の下端も第八固定ブロックが固定接続され、前記第三昇降溝の前後側端面の間に第一リード線輪が回り係合接続され、前記第一リード線輪の下側且つ前記第三昇降溝の前後側端面にストッパーが固定設置され、前記第一張り線の一端が前記第一リード線輪を巻きついて前記第八固定ブロックの上側端面に固定接続され、前記ストッパーで前記第八固定ブロックが上昇する途中前記第一リード線輪にぶつがることを防ぐ。
前記太陽エネルギー装置が第三接続支柱の上端に固定接続される第二装置主体を含み、前記第二装置主体の中に開き口が上向きの第一中空筐体が設置され、前記第一中空筐体の下側内壁に開き口が上向きの第二中空筐体が設置され、前記第一中空筐体の下側端面に第二電機が前記第二中空筐体を中心に左右対称で固定設置され、前記第一中空筐体の中に第一連結ブロックが回り設置され、前記第一中空筐体の内周側の上端に前記第一連結ブロックに係合う回転ガイドブロックが固定接続され、前記第一連結ブロックの下側端面に前記第二中空筐体に入り込む第二連結ブロックが固定接続され、前記第二連結ブロックの中に第三電機が固定設置され、前記第一連結ブロックの下側端面に環状で開き口が下向きの第三中空筐体が設置され、前記第三中空筐体が前記第二連結ブロックから離れる片側の内壁に第三連結ブロックが固定設置され、前記第三中空筐体の中に前記第三連結ブロックに噛み合う第二歯車が設置され、前記第二歯車の下端面が回転軸を通じて前記第二電機の上端に動力で係合接続され、前記第一連結ブロックの中に開き筐体が設置され、前記開き筐体の中に第二線巻き輪が回り設置され、前記第二線巻き輪の下端が回転軸を通じて前記第三電機の上端に動力で係合接続され、前記第二線巻き輪にお互いに逆方向で巻き接続される第二張り線と第三張り線が巻き付かれ、前記開き筐体の左右両側の内壁に前記第二線巻き輪を中心に第二リード線輪が固定設置され、前記第一連結ブロックの上端面の中心に第四連結ブロックが固定接続され、前記第四連結ブロックの中に前記開き筐体に連結される第四中空筐体が貫いて設置され、前記第四中空筐体の中に第五連結ブロックが設置され、前記第五連結ブロックの外側端面と前記第四中空筐体がばねで係合接続され、前記第五連結ブロックの下端が接続軸を通じて第六連結ブロックが固定接続され、前記第二張り線のもう一端が左側にある前記第二リード線輪を巻きついて前記第五連結ブロックの左側端面に固定接続され、前記第三張り線のもう一端が右側にある前記第二リード線輪を巻きついて前記第五連結ブロックの右側端面に固定接続され、前記第五連結ブロックの上端に連結支柱が固定接続され、前記連結支柱の上端に太陽エネルギー固定板が固定接続され、前記太陽エネルギー固定板の上端面に太陽光パネルが固定設置され、前記第一連結ブロックの上端面にバッテリー固定板が固定接続され、前記バッテリー固定板の中にバッテリーが固定設置され、前記バッテリーと前記太陽光パネルが電気で接続され、前記第二装置主体の下側端面に緩衝ブロックが左右対称で固定接続され、前記緩衝ブロックで前記第二装置主体が下がる時、前記装置主体と前記第一固定ブロックの衝撃力を緩め、前記第二装置主体の周側端面に交通信号機が固定設置され、前記前進装置が前記第一装置主体の下側端面に設置される開き口が下向きの前進筐体を含み、前記前進筐体の前後側内壁の間に回転軸を通じて前進輪が回り係合接続され、前記第一装置主体の前後側と左右側端面に衝撃予防板が固定設置され、前記前進輪で本装置の運びに協力して、前記衝撃予防板が本装置を運ぶ時に衝撃を生じることを防ぐ。
【発明の詳細な説明】
【技術分野】
【０００１】
本発明は交通信号機分野に関し、具体的には、知能的な太陽光発電装置に関する。
【背景技術】
【０００２】
都市道路の拡張計画につれて、何ヶ所かの道路にある交通信号機を撤去して新しい交通信号機を取り付けなければならなくて、この隙間で移動式の交通指示装置を借りて交通指示を行い、しかし、一般的には、現有の移動式指示装置の見かけと高さが固定されるため、運ぶとき大きな空間が占められ、高さが昇降できる太陽エネルギーで駆動される知能的な太陽光発電装置を設計するのが確実に必要である。
【先行技術文献】
【特許文献】
【０００３】
【特許文献１】中国特許出願公開第102811001号明細書
【発明の概要】
【発明が解決しようとする課題】
【０００４】
本発明の目的は上記の背景技術に提出された問題を解決するための知能的な太陽光発電装置を提供することにある。
【課題を解決するための手段】
【０００５】
本発明の知能的な太陽光発電装置は第一装置主体、前記第一装置主体の上側端面に左右対称で設置される昇降装置、前記昇降装置の上端に設置される太陽エネルギー装置及び前記第一装置主体の下端面に設置される前進装置を含み、前記昇降装置が前記第一装置主体の上側端面に固定接続される第一接続支柱を含み、左右対称で設置される前記第一接続支柱の向こう側に第二接続支柱が設置され、前記第一接続支柱の前後側端面に第一固定ブロックが固定接続され、前記第二接続支柱の後ろ端面に上下貫いて且つ開き口が後ろ向きの第一昇降溝が設置され、後ろ側にある前記第一固定ブロックの前側端面に前記第一昇降溝に入り込み且つ上下滑動できる第二固定ブロックが固定設置され、前記第二接続支柱の前側端面に上下貫いて且つ開き口が前向きの第二昇降溝が設置され、前側にある前記第一固定ブロックの後ろ側端面に前記第二昇降溝に入り込む第三固定ブロックが固定接続され、前記第二接続支柱の中に第三昇降溝が左右貫いて設置され、前記第一接続支柱が前記第三昇降溝に近づく片側端面に前記第三昇降溝に入り込む第四固定ブロックが前後対称で固定設置され、前記第三昇降溝の後ろ側内壁に第一電機が固定設置され、前記第一電機の前側且つ前記第三昇降溝の中にある回れる且つ前記第四固定ブロックに噛み合い係合接続される第一歯車が前後対称で設置され、前後対称で設置される前記第一歯車の間に第一線巻き輪が設置され、前記第一巻き輪と前記第一歯車が同じ回転軸を通じて前記第一電機の先端に動力で係合接続され、前記第一線巻きに第一張り線が巻き付かれ、前記第二接続支柱が前記第一接続支柱から離れる片側に第三接続支柱が設置され、前記第三接続支柱の前後側端面に第五固定ブロックが固定接続され、前記第二接続支柱の後ろ側端面に上下貫いて且つ開き口が後ろ向きの第四昇降溝が設置され、後ろ側にある前記第五固定ブロックの前側端面に前記第四昇降溝に入り込み且つ前記第四昇降溝の内壁に滑り係合接続される第六固定ブロックが固定設置され、前記第二接続支柱の前側端面に上下貫いて且つ開き口が前向きの第五昇降溝が設置され、前記第五固定ブロックの後ろ側端面に前記第五昇降溝に入り込み且つ前記第五昇降溝の内壁に滑り係合接続される第七固定ブロックが固定設置され、前記第三接続支柱が前記第三昇降溝に近づく片側端面の下端も第八固定ブロックが固定接続され、前記第三昇降溝の前後側端面の間に第一リード線輪が回り係合接続され、前記第一リード線輪の下側且つ前記第三昇降溝の前後側端面にストッパーが固定設置され、前記第一張り線の一端が前記第一リード線輪を巻きついて前記第八固定ブロックの上側端面に固定接続され、前記ストッパーで前記第八固定ブロックが上昇する途中前記第一リード線輪にぶつがることを防ぐ。
【０００６】
優選された技術プランとして、前記太陽エネルギー装置が第三接続支柱の上端に固定接続される第二装置主体を含み、前記第二装置主体の中に開き口が上向きの第一中空筐体が設置され、前記第一中空筐体の下側内壁に開き口が上向きの第二中空筐体が設置され、前記第一中空筐体の下側端面に第二電機が前記第二中空筐体を中心に左右対称で固定設置され、前記第一中空筐体の中に第一連結ブロックが回り設置され、前記第一中空筐体の内周側の上端に前記第一連結ブロックに係合う回転ガイドブロックが固定接続され、前記第一連結ブロックの下側端面に前記第二中空筐体に入り込む第二連結ブロックが固定接続され、前記第二連結ブロックの中に第三電機が固定設置され、前記第一連結ブロックの下側端面に環状で開き口が下向きの第三中空筐体が設置され、前記第三中空筐体が前記第二連結ブロックから離れる片側の内壁に第三連結ブロックが固定設置され、前記第三中空筐体の中に前記第三連結ブロックに噛み合う第二歯車が設置され、前記第二歯車の下端面が回転軸を通じて前記第二電機の上端に動力で係合接続され、前記第一連結ブロックの中に開き筐体が設置され、前記開き筐体の中に第二線巻き輪が回り設置され、前記第二線巻き輪の下端が回転軸を通じて前記第三電機の上端に動力で係合接続され、前記第二線巻き輪にお互いに逆方向で巻き接続される第二張り線と第三張り線が巻き付かれ、前記開き筐体の左右両側の内壁に前記第二線巻き輪を中心に第二リード線輪が固定設置され、前記第一連結ブロックの上端面の中心に第四連結ブロックが固定接続され、前記第四連結ブロックの中に前記開き筐体に連結される第四中空筐体が貫いて設置され、前記第四中空筐体の中に第五連結ブロックが設置され、前記第五連結ブロックの外側端面と前記第四中空筐体がばねで係合接続され、前記第五連結ブロックの下端が接続軸を通じて第六連結ブロックが固定接続され、前記第二張り線のもう一端が左側にある前記第二リード線輪を巻きついて前記第五連結ブロックの左側端面に固定接続され、前記第三張り線のもう一端が右側にある前記第二リード線輪を巻きついて前記第五連結ブロックの右側端面に固定接続され、前記第五連結ブロックの上端に連結支柱が固定接続され、前記連結支柱の上端に太陽エネルギー固定板が固定接続され、前記太陽エネルギー固定板の上端面に太陽光パネルが固定設置される。
【０００７】
優選された技術プランとして、前記第一連結ブロックの上端面にバッテリー固定板が固定接続され、前記バッテリー固定板の中にバッテリーが固定設置され、前記バッテリーと前記太陽光パネルが電気で接続される。
【０００８】
優選された技術プランとして、前記第二装置主体の下側端面に緩衝ブロックが左右対称で固定接続され、前記緩衝ブロックで前記第二装置主体が下がる時、前記装置主体と前記第一固定ブロックの衝撃力を緩める。
【０００９】
優選された技術プランとして、前記第二装置主体の周側端面に交通信号機が固定設置される。
【００１０】
優選された技術プランとして、前記前進装置が前記第一装置主体の下側端面に設置される開き口が下向きの前進筐体を含み、前記前進筐体の前後側内壁の間に回転軸を通じて前進輪が回り係合接続され、前記第一装置主体の前後側と左右側端面に衝撃予防板が固定設置され、前記前進輪で本装置の運びに協力して、前記衝撃予防板が本装置を運ぶ時に衝撃を生じることを防ぐ。
【発明の効果】
【００１１】
本発明の有益効果は、本発明の構造が簡単で、操作も便利であり、本発明で交通指示する時、第一電機が起動され、回転軸を通じて第一歯車を動かして回せ、第一歯車と第四固定ブロックの噛み合いを通じて、第四固定ブロックを動かして上げさせ、第二接続支柱を動かして上げさせ、それと同時に、第一線巻き輪が回り、第一張り線を通じて第八固定ブロックを引っ張って、第八固定ブロックを動かして第一接続支柱に相対して上げさせ、前記第三接続支柱を動かして第二接続支柱に相対して上げさせ、第二装置主体を動かして上げさせて、後方車両が交通信号機の指示状況をはっきり見届けるに役立ち、それと同時に、第三電機が回り、第二巻き線輪を動かして回せ、第二張り線を引っ張る同時に第三張り線を緩め、または第三張り線を引っ張る同時に第二張り線を緩め、それによって、第六連結ブロックを引っ張って左右回せ、第五連結ブロックを引っ張って左右回せ、連結支柱を通じて太陽エネルギー固定板を動かしてひっくり返せ、太陽光パネルを最大限で太陽に向かい合わせ、それと同時に、第二電機が回って、回転軸を通じて第二歯車を動かして回せ、第二歯車と第三連結ブロックの噛み合いで第一連結ブロックを動かして回せ、それと同時に、第三電機が回って太陽エネルギー固定板を動かして最大限で太陽に向かい合わせ、最大限で太陽エネルギーを転化して、転化された電気をバッテリーに貯蔵して市内電気の消耗を抑え、本装置が適用されない時、高さを下げて装置の輸送に役立ち、使用される時、高さを上げて後方車両が交通信号機の指示状況をはっきり見届けるに役立ち、その次、本装置が太陽エネルギーに給電して充電回数を減少し、市内電気の消耗を抑える。
【図面の簡単な説明】
【００１２】
説明しやすいため、本発明は以下の具体的な実施例と付図を交え詳しく説明する。
【００１３】
【図１】本発明の知能的な太陽光発電装置の内部構造模式図である。
【図２】図1のA-A方向の構造模式図である。
【図３】図１のBの拡大模式図である。
【図４】図3のCの拡大模式図である。
【発明を実施するための形態】
【００１４】
図1-4が示すように、本発明の知能的な太陽光発電装置は第一装置主体11、前記第一装置主体11の上側端面に左右対称で設置される昇降装置、前記昇降装置の上端に設置される太陽エネルギー装置及び前記第一装置主体11の下端面に設置される前進装置を含み、前記昇降装置が前記第一装置主体11の上側端面に固定接続される第一接続支柱21を含み、左右対称で設置される前記第一接続支柱21の向こう側に第二接続支柱29が設置され、前記第一接続支柱21の前後側端面に第一固定ブロック31が固定接続され、前記第二接続支柱29の後ろ端面に上下貫いて且つ開き口が後ろ向きの第一昇降溝38が設置され、後ろ側にある前記第一固定ブロック31の前側端面に前記第一昇降溝38に入り込み且つ上下滑動できる第二固定ブロック39が固定設置され、前記第二接続支柱29の前側端面に上下貫いて且つ開き口が前向きの第二昇降溝45が設置され、前側にある前記第一固定ブロック31の後ろ側端面に前記第二昇降溝45に入り込む第三固定ブロック44が固定接続され、前記第二接続支柱29の中に第三昇降溝24が左右貫いて設置され、前記第一接続支柱21が前記第三昇降溝24に近づく片側端面に前記第三昇降溝24に入り込む第四固定ブロック22が前後対称で固定設置され、前記第三昇降溝24の後ろ側内壁に第一電機41が固定設置され、前記第一電機41の前側且つ前記第三昇降溝24の中にある回れる且つ前記第四固定ブロック22に噛み合い係合接続される第一歯車46が前後対称で設置され、前後対称で設置される前記第一歯車46の間に第一線巻き輪43が設置され、前記第一巻き輪43と前記第一歯車46が同じ回転軸を通じて前記第一電機41の先端に動力で係合接続され、前記第一線巻き43に第一張り線25が巻き付かれ、前記第二接続支柱29が前記第一接続支柱21から離れる片側に第三接続支柱32が設置され、前記第三接続支柱32の前後側端面に第五固定ブロック37が固定接続され、前記第二接続支柱29の後ろ側端面に上下貫いて且つ開き口が後ろ向きの第四昇降溝33が設置され、後ろ側にある前記第五固定ブロック37の前側端面に前記第四昇降溝33に入り込み且つ前記第四昇降溝33の内壁に滑り係合接続される第六固定ブロック34が固定設置され、前記第二接続支柱29の前側端面に上下貫いて且つ開き口が前向きの第五昇降溝35が設置され、前記第五固定ブロック37の後ろ側端面に前記第五昇降溝35に入り込み且つ前記第五昇降溝35の内壁に滑り係合接続される第七固定ブロック36が固定設置され、前記第三接続支柱32が前記第三昇降溝24に近づく片側端面の下端も第八固定ブロック26が固定接続され、前記第三昇降溝24の前後側端面の間に第一リード線輪28が回り係合接続され、前記第一リード線輪28の下側且つ前記第三昇降溝24の前後側端面にストッパー27が固定設置され、前記第一張り線25の一端が前記第一リード線輪28を巻きついて前記第八固定ブロック26の上側端面に固定接続され、前記ストッパー27で前記第八固定ブロック26が上昇する途中前記第一リード線輪28にぶつがることを防ぐ。
【００１５】
有益的には、前記太陽エネルギー装置が第三接続支柱32の上端に固定接続される第二装置主体12を含み、前記第二装置主体12の中に開き口が上向きの第一中空筐体56が設置され、前記第一中空筐体56の下側内壁に開き口が上向きの第二中空筐体52が設置され、前記第一中空筐体56の下側端面に第二電機55が前記第二中空筐体52を中心に左右対称で固定設置され、前記第一中空筐体56の中に第一連結ブロック70が回り設置され、前記第一中空筐体56の内周側の上端に前記第一連結ブロック70に係合う回転ガイドブロック61が固定接続され、前記第一連結ブロック70の下側端面に前記第二中空筐体52に入り込む第二連結ブロック53が固定接続され、前記第二連結ブロック53の中に第三電機54が固定設置され、前記第一連結ブロック70の下側端面に環状で開き口が下向きの第三中空筐体62が設置され、前記第三中空筐体62が前記第二連結ブロック53から離れる片側の内壁に第三連結ブロック57が固定設置され、前記第三中空筐体62の中に前記第三連結ブロック57に噛み合う第二歯車58が設置され、前記第二歯車58の下端面が回転軸を通じて前記第二電機55の上端に動力で係合接続され、前記第一連結ブロック70の中に開き筐体69が設置され、前記開き筐体69の中に第二線巻き輪67が回り設置され、前記第二線巻き輪67の下端が回転軸を通じて前記第三電機54の上端に動力で係合接続され、前記第二線巻き輪67にお互いに逆方向で巻き接続される第二張り線77と第三張り線66が巻き付かれ、前記開き筐体69の左右両側の内壁に前記第二線巻き輪67を中心に第二リード線輪65が固定設置され、前記第一連結ブロック70の上端面の中心に第四連結ブロック73が固定接続され、前記第四連結ブロック73の中に前記開き筐体69に連結される第四中空筐体74が貫いて設置され、前記第四中空筐体74の中に第五連結ブロック75が設置され、前記第五連結ブロック75の外側端面と前記第四中空筐体74がばね76で係合接続され、前記第五連結ブロック75の下端が接続軸を通じて第六連結ブロック78が固定接続され、前記第二張り線77のもう一端が左側にある前記第二リード線輪65を巻きついて前記第五連結ブロック75の左側端面に固定接続され、前記第三張り線66のもう一端が右側にある前記第二リード線輪65を巻きついて前記第五連結ブロック75の右側端面に固定接続され、前記第五連結ブロック75の上端に連結支柱68が固定接続され、前記連結支柱68の上端に太陽エネルギー固定板63が固定接続され、前記太陽エネルギー固定板63の上端面に太陽光パネル64が固定設置される。
【００１６】
有益的には、前記第一連結ブロック70の上端面にバッテリー固定板71が固定接続され、前記バッテリー固定板71の中にバッテリー72が固定設置され、前記バッテリー72と前記太陽光パネル64が電気で接続される。
【００１７】
有益的には、前記第二装置主体12の下側端面に緩衝ブロック51が左右対称で固定接続され、前記緩衝ブロック51で前記第二装置主体12が下がる時、前記装置主体と前記第一固定ブロック31の衝撃力を緩める。
【００１８】
有益的には、前記第二装置主体12の周側端面に交通信号機59が固定設置される。
【００１９】
有益的には、前記前進装置が前記第一装置主体11の下側端面に設置される開き口が下向きの前進筐体82を含み、前記前進筐体82の前後側内壁の間に回転軸を通じて前進輪81が回り係合接続され、前記第一装置主体11の前後側と左右側端面に衝撃予防板83が固定設置され、前記前進輪81で本装置の運びに協力して、前記衝撃予防板83が本装置を運ぶ時に衝撃を生じることを防ぐ。
【００２０】
初期状態の時、第二接続支柱29の下端面が第一装置主体11の上端面に当接する同時に、第三接続支柱32の下端面が第一装置主体11の上端面に当接し、この時、第二装置主体12が最大限で下がって、緩衝ブロック51の下端面が第一固定ブロック31の上端面に当接する同時に、太陽エネルギー固定板63が水平状態にある。
【００２１】
本装置で交通指示する時、第一電機41が起動され、回転軸を通じて第一歯車46を動かして回せ、第一歯車46と第四固定ブロック22の噛み合いを通じて、第四固定ブロック22を動かして上げさせ、第二接続支柱29を動かして上げさせ、それと同時に、第一線巻き輪43が回り、第一張り線25を通じて第八固定ブロック26を引っ張って、第八固定ブロック26を動かして第一接続支柱21に相対して上げさせ、前記第三接続支柱32を動かして第二接続支柱29に相対して上げさせ、第二装置主体12を動かして上げさせて、後方車両が交通信号機59の指示状況をはっきり見届けるに役立ち、それと同時に、第三電機54が回り、第二巻き線輪67を動かして回せ、第二張り線77を引っ張る同時に第三張り線66を緩め、または第三張り線66を引っ張る同時に第二張り線77を緩め、それによって、第六連結ブロック78を引っ張って左右回せ、第五連結ブロック75を引っ張って左右回せ、連結支柱68を通じて太陽エネルギー固定板63を動かしてひっくり返せ、太陽光パネル64を最大限で太陽に向かい合わせ、それと同時に、第二電機55が回って、回転軸を通じて第二歯車58を動かして回せ、第二歯車58と第三連結ブロック57の噛み合いで第一連結ブロック70を動かして回せ、それと同時に、第三電機54が回って太陽エネルギー固定板63を動かして最大限で太陽に向かい合わせ、最大限で太陽エネルギーを転化して、転化された電気をバッテリー72に貯蔵して市内電気の消耗を抑える。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019190262.tif 000003
【図２】
2019190262.tif 000004
【図３】
2019190262.tif 000005
【図４】
2019190262.tif 000006
【手続補正書】
【提出日】平成31年4月10日(2019.4.10)
【手続補正１】
【補正対象書類名】特許請求の範囲
【補正対象項目名】請求項１
【補正方法】変更
【補正の内容】
【請求項１】
第一装置主体、前記第一装置主体の上側端面に左右対称で設置される昇降装置、前記昇降装置の上端に設置される太陽エネルギー装置及び前記第一装置主体の下端面に設置される前進装置を含み、前記昇降装置が前記第一装置主体の上側端面に固定接続される第一接続支柱を含み、左右対称で設置される前記第一接続支柱の向こう側に第二接続支柱が設置され、前記第一接続支柱の前後側端面に第一固定ブロックが固定接続され、前記第二接続支柱の後ろ端面に上下貫いて且つ開き口が後ろ向きの第一昇降溝が設置され、後ろ側にある前記第一固定ブロックの前側端面に前記第一昇降溝に入り込み且つ上下滑動できる第二固定ブロックが固定設置され、前記第二接続支柱の前側端面に上下貫いて且つ開き口が前向きの第二昇降溝が設置され、前側にある前記第一固定ブロックの後ろ側端面に前記第二昇降溝に入り込む第三固定ブロックが固定接続され、前記第二接続支柱の中に第三昇降溝が左右貫いて設置され、前記第一接続支柱が前記第三昇降溝に近づく片側端面に前記第三昇降溝に入り込む第四固定ブロックが前後対称で固定設置され、前記第三昇降溝の後ろ側内壁に第一電機が固定設置され、前記第一電機の前側且つ前記第三昇降溝の中にある回れる且つ前記第四固定ブロックに噛み合い係合接続される第一歯車が前後対称で設置され、前後対称で設置される前記第一歯車の間に第一線巻き輪が設置され、前記第一線巻き輪と前記第一歯車が同じ回転軸を通じて前記第一電機の先端に伝動できるように係合し接続され、前記第一線巻きに第一張り線が巻き付かれ、前記第二接続支柱が前記第一接続支柱から離れる片側に第三接続支柱が設置され、前記第三接続支柱の前後側端面に第五固定ブロックが固定接続され、前記第二接続支柱の後ろ側端面に上下貫いて且つ開き口が後ろ向きの第四昇降溝が設置され、後ろ側にある前記第五固定ブロックの前側端面に前記第四昇降溝に入り込み且つ前記第四昇降溝の内壁に滑り係合接続される第六固定ブロックが固定設置され、前記第二接続支柱の前側端面に上下貫いて且つ開き口が前向きの第五昇降溝が設置され、前記第五固定ブロックの後ろ側端面に前記第五昇降溝に入り込み且つ前記第五昇降溝の内壁に滑り係合接続される第七固定ブロックが固定設置され、前記第三接続支柱が前記第三昇降溝に近づく片側端面の下端も第八固定ブロックが固定接続され、前記第三昇降溝の前後側端面の間に第一リード線輪が回り係合接続され、前記第一リード線輪の下側且つ前記第三昇降溝の前後側端面にストッパーが固定設置され、前記第一張り線の一端が前記第一リード線輪を巻きついて前記第八固定ブロックの上側端面に固定接続され、前記ストッパーで前記第八固定ブロックが上昇する途中前記第一リード線輪にぶつがることを防ぐ；
前記太陽エネルギー装置が第三接続支柱の上端に固定接続される第二装置主体を含み、前記第二装置主体の中に開き口が上向きの第一中空チャンバが設置され、前記第一中空チャンバの下側内壁に開き口が上向きの第二中空チャンバが設置され、前記第一中空チャンバの下側端面に第二電機が前記第二中空チャンバを中心に左右対称で固定設置され、前記第一中空チャンバの中に第一連結ブロックが回転可能に設置され、前記第一中空チャンバの内周側の上端に前記第一連結ブロックに係合う回転ガイドブロックが固定接続され、前記第一連結ブロックの下側端面に前記第二中空チャンバに入り込む第二連結ブロックが固定接続され、前記第二連結ブロックの中に第三電機が固定設置され、前記第一連結ブロックの下側端面に環状で開き口が下向きの第三中空チャンバが設置され、前記第三中空チャンバが前記第二連結ブロックから離れる片側の内壁に第三連結ブロックが固定設置され、前記第三中空チャンバの中に前記第三連結ブロックに噛み合う第二歯車が設置され、前記第二歯車の下端面が回転軸を通じて前記第二電機の上端に伝動できるように係合し接続され、前記第一連結ブロックの中に開きチャンバが設置され、前記開きチャンバの中に第二線巻き輪が回転可能に設置され、前記第二線巻き輪の下端が回転軸を通じて前記第三電機の上端に伝動できるように係合し接続され、前記第二線巻き輪にお互いに逆方向で巻き接続される第二張り線と第三張り線が巻き付かれ、前記開きチャンバの左右両側の内壁に前記第二線巻き輪を中心に第二リード線輪が固定設置され、前記第一連結ブロックの上端面の中心に第四連結ブロックが固定接続され、前記第四連結ブロックの中に前記開きチャンバに連結される第四中空チャンバが貫いて設置され、前記第四中空チャンバの中に第五連結ブロックが設置され、前記第五連結ブロックの外側端面と前記第四中空チャンバがばねで係合接続され、前記第五連結ブロックの下端が接続軸を通じて第六連結ブロックが固定接続され、前記第二張り線のもう一端が左側にある前記第二リード線輪を巻きついて前記第五連結ブロックの左側端面に固定接続され、前記第三張り線のもう一端が右側にある前記第二リード線輪を巻きついて前記第五連結ブロックの右側端面に固定接続され、前記第五連結ブロックの上端に連結支柱が固定接続され、前記連結支柱の上端に太陽エネルギー固定板が固定接続され、前記太陽エネルギー固定板の上端面に太陽光パネルが固定設置され、前記第一連結ブロックの上端面にバッテリー固定板が固定接続され、前記バッテリー固定板の中にバッテリーが固定設置され、前記バッテリーと前記太陽光パネルが電気で接続され、前記第二装置主体の下側端面に緩衝ブロックが左右対称で固定接続され、前記緩衝ブロックで前記第二装置主体が下がる時、前記第二装置主体と前記第一固定ブロックの衝撃力を緩め、前記第二装置主体の周側端面に交通信号機が固定設置され、前記前進装置が前記第一装置主体の下側端面に設置される開き口が下向きの前進チャンバを含み、前記前進チャンバの前後側内壁の間に回転軸を通じて前進輪が回り係合接続され、前記第一装置主体の前後側と左右側端面に衝撃予防板が固定設置され、前記前進輪で本装置の運びに協力して、前記衝撃予防板が本装置を運ぶ時に衝撃を生じることを防ぐことを特徴とする知能的な太陽光発電装置。
【手続補正２】
【補正対象書類名】明細書
【補正対象項目名】全文
【補正方法】変更
【補正の内容】
【発明の詳細な説明】
【技術分野】
【０００１】
本発明は交通信号機分野に関し、具体的には、知能的な太陽光発電装置に関する。
【背景技術】
【０００２】
都市道路の拡張計画につれて、何ヶ所かの道路にある交通信号機を撤去して新しい交通信号機を取り付けなければならなくて、この隙間で移動式の交通指示装置を借りて交通指示を行い、しかし、一般的には、現有の移動式指示装置の見かけと高さが固定されるため、運ぶとき大きな空間が占められ、高さが昇降できる太陽エネルギーで駆動される知能的な太陽光発電装置を設計するのが確実に必要である。
【先行技術文献】
【特許文献】
【０００３】
【特許文献１】中国特許出願公開第102811001号明細書
【発明の概要】
【発明が解決しようとする課題】
【０００４】
本発明の目的は上記の背景技術に提出された問題を解決するための知能的な太陽光発電装置を提供することにある。
【課題を解決するための手段】
【０００５】
本発明の知能的な太陽光発電装置は第一装置主体、前記第一装置主体の上側端面に左右対称で設置される昇降装置、前記昇降装置の上端に設置される太陽エネルギー装置及び前記第一装置主体の下端面に設置される前進装置を含み、前記昇降装置が前記第一装置主体の上側端面に固定接続される第一接続支柱を含み、左右対称で設置される前記第一接続支柱の向こう側に第二接続支柱が設置され、前記第一接続支柱の前後側端面に第一固定ブロックが固定接続され、前記第二接続支柱の後ろ端面に上下貫いて且つ開き口が後ろ向きの第一昇降溝が設置され、後ろ側にある前記第一固定ブロックの前側端面に前記第一昇降溝に入り込み且つ上下滑動できる第二固定ブロックが固定設置され、前記第二接続支柱の前側端面に上下貫いて且つ開き口が前向きの第二昇降溝が設置され、前側にある前記第一固定ブロックの後ろ側端面に前記第二昇降溝に入り込む第三固定ブロックが固定接続され、前記第二接続支柱の中に第三昇降溝が左右貫いて設置され、前記第一接続支柱が前記第三昇降溝に近づく片側端面に前記第三昇降溝に入り込む第四固定ブロックが前後対称で固定設置され、前記第三昇降溝の後ろ側内壁に第一電機が固定設置され、前記第一電機の前側且つ前記第三昇降溝の中にある回れる且つ前記第四固定ブロックに噛み合い係合接続される第一歯車が前後対称で設置され、前後対称で設置される前記第一歯車の間に第一線巻き輪が設置され、前記第一線巻き輪と前記第一歯車が同じ回転軸を通じて前記第一電機の先端に伝動できるように係合し接続され、前記第一線巻きに第一張り線が巻き付かれ、前記第二接続支柱が前記第一接続支柱から離れる片側に第三接続支柱が設置され、前記第三接続支柱の前後側端面に第五固定ブロックが固定接続され、前記第二接続支柱の後ろ側端面に上下貫いて且つ開き口が後ろ向きの第四昇降溝が設置され、後ろ側にある前記第五固定ブロックの前側端面に前記第四昇降溝に入り込み且つ前記第四昇降溝の内壁に滑り係合接続される第六固定ブロックが固定設置され、前記第二接続支柱の前側端面に上下貫いて且つ開き口が前向きの第五昇降溝が設置され、前記第五固定ブロックの後ろ側端面に前記第五昇降溝に入り込み且つ前記第五昇降溝の内壁に滑り係合接続される第七固定ブロックが固定設置され、前記第三接続支柱が前記第三昇降溝に近づく片側端面の下端も第八固定ブロックが固定接続され、前記第三昇降溝の前後側端面の間に第一リード線輪が回り係合接続され、前記第一リード線輪の下側且つ前記第三昇降溝の前後側端面にストッパーが固定設置され、前記第一張り線の一端が前記第一リード線輪を巻きついて前記第八固定ブロックの上側端面に固定接続され、前記ストッパーで前記第八固定ブロックが上昇する途中前記第一リード線輪にぶつがることを防ぐ。
【０００６】
優選された技術プランとして、前記太陽エネルギー装置が第三接続支柱の上端に固定接続される第二装置主体を含み、前記第二装置主体の中に開き口が上向きの第一中空チャンバが設置され、前記第一中空チャンバの下側内壁に開き口が上向きの第二中空チャンバが設置され、前記第一中空チャンバの下側端面に第二電機が前記第二中空チャンバを中心に左右対称で固定設置され、前記第一中空チャンバの中に第一連結ブロックが回転可能に設置され、前記第一中空チャンバの内周側の上端に前記第一連結ブロックに係合う回転ガイドブロックが固定接続され、前記第一連結ブロックの下側端面に前記第二中空チャンバに入り込む第二連結ブロックが固定接続され、前記第二連結ブロックの中に第三電機が固定設置され、前記第一連結ブロックの下側端面に環状で開き口が下向きの第三中空チャンバが設置され、前記第三中空チャンバが前記第二連結ブロックから離れる片側の内壁に第三連結ブロックが固定設置され、前記第三中空チャンバの中に前記第三連結ブロックに噛み合う第二歯車が設置され、前記第二歯車の下端面が回転軸を通じて前記第二電機の上端に伝動できるように係合し接続され、前記第一連結ブロックの中に開きチャンバが設置され、前記開きチャンバの中に第二線巻き輪が回転可能に設置され、前記第二線巻き輪の下端が回転軸を通じて前記第三電機の上端に伝動できるように係合し接続され、前記第二線巻き輪にお互いに逆方向で巻き接続される第二張り線と第三張り線が巻き付かれ、前記開きチャンバの左右両側の内壁に前記第二線巻き輪を中心に第二リード線輪が固定設置され、前記第一連結ブロックの上端面の中心に第四連結ブロックが固定接続され、前記第四連結ブロックの中に前記開きチャンバに連結される第四中空チャンバが貫いて設置され、前記第四中空チャンバの中に第五連結ブロックが設置され、前記第五連結ブロックの外側端面と前記第四中空チャンバがばねで係合接続され、前記第五連結ブロックの下端が接続軸を通じて第六連結ブロックが固定接続され、前記第二張り線のもう一端が左側にある前記第二リード線輪を巻きついて前記第五連結ブロックの左側端面に固定接続され、前記第三張り線のもう一端が右側にある前記第二リード線輪を巻きついて前記第五連結ブロックの右側端面に固定接続され、前記第五連結ブロックの上端に連結支柱が固定接続され、前記連結支柱の上端に太陽エネルギー固定板が固定接続され、前記太陽エネルギー固定板の上端面に太陽光パネルが固定設置される。
【０００７】
優選された技術プランとして、前記第一連結ブロックの上端面にバッテリー固定板が固定接続され、前記バッテリー固定板の中にバッテリーが固定設置され、前記バッテリーと前記太陽光パネルが電気で接続される。
【０００８】
優選された技術プランとして、前記第二装置主体の下側端面に緩衝ブロックが左右対称で固定接続され、前記緩衝ブロックで前記第二装置主体が下がる時、前記第二装置主体と前記第一固定ブロックの衝撃力を緩める。
【０００９】
優選された技術プランとして、前記第二装置主体の周側端面に交通信号機が固定設置される。
【００１０】
優選された技術プランとして、前記前進装置が前記第一装置主体の下側端面に設置される開き口が下向きの前進チャンバを含み、前記前進チャンバの前後側内壁の間に回転軸を通じて前進輪が回り係合接続され、前記第一装置主体の前後側と左右側端面に衝撃予防板が固定設置され、前記前進輪で本装置の運びに協力して、前記衝撃予防板が本装置を運ぶ時に衝撃を生じることを防ぐ。
【発明の効果】
【００１１】
本発明の有益効果は、本発明の構造が簡単で、操作も便利であり、本発明で交通指示する時、第一電機が起動され、回転軸を通じて第一歯車を動かして回せ、第一歯車と第四固定ブロックの噛み合いを通じて、第四固定ブロックを動かして上げさせ、第二接続支柱を動かして上げさせ、それと同時に、第一線巻き輪が回り、第一張り線を通じて第八固定ブロックを引っ張って、第八固定ブロックを動かして第一接続支柱に相対して上げさせ、前記第三接続支柱を動かして第二接続支柱に相対して上げさせ、第二装置主体を動かして上げさせて、後方車両が交通信号機の指示状況をはっきり見届けるに役立ち、それと同時に、第三電機が回り、第二巻き線輪を動かして回せ、第二張り線を引っ張る同時に第三張り線を緩め、または第三張り線を引っ張る同時に第二張り線を緩め、それによって、第六連結ブロックを引っ張って左右回せ、第五連結ブロックを引っ張って左右回せ、連結支柱を通じて太陽エネルギー固定板を動かしてひっくり返せ、太陽光パネルを最大限で太陽に向かい合わせ、それと同時に、第二電機が回って、回転軸を通じて第二歯車を動かして回せ、第二歯車と第三連結ブロックの噛み合いで第一連結ブロックを動かして回せ、それと同時に、第三電機が回って太陽エネルギー固定板を動かして最大限で太陽に向かい合わせ、最大限で太陽エネルギーを転化して、転化された電気をバッテリーに貯蔵して市内電気の消耗を抑え、本装置が適用されない時、高さを下げて装置の輸送に役立ち、使用される時、高さを上げて後方車両が交通信号機の指示状況をはっきり見届けるに役立ち、その次、本装置が太陽エネルギーに給電して充電回数を減少し、市内電気の消耗を抑える。
【図面の簡単な説明】
【００１２】
説明しやすいため、本発明は以下の具体的な実施例と付図を交え詳しく説明する。
【００１３】
【図１】本発明の知能的な太陽光発電装置の内部構造模式図である。
【図２】図1のA-A方向の構造模式図である。
【図３】図１のBの拡大模式図である。
【図４】図3のCの拡大模式図である。
【発明を実施するための形態】
【００１４】
図1-4が示すように、本発明の知能的な太陽光発電装置は第一装置主体11、前記第一装置主体11の上側端面に左右対称で設置される昇降装置、前記昇降装置の上端に設置される太陽エネルギー装置及び前記第一装置主体11の下端面に設置される前進装置を含み、前記昇降装置が前記第一装置主体11の上側端面に固定接続される第一接続支柱21を含み、左右対称で設置される前記第一接続支柱21の向こう側に第二接続支柱29が設置され、前記第一接続支柱21の前後側端面に第一固定ブロック31が固定接続され、前記第二接続支柱29の後ろ端面に上下貫いて且つ開き口が後ろ向きの第一昇降溝38が設置され、後ろ側にある前記第一固定ブロック31の前側端面に前記第一昇降溝38に入り込み且つ上下滑動できる第二固定ブロック39が固定設置され、前記第二接続支柱29の前側端面に上下貫いて且つ開き口が前向きの第二昇降溝45が設置され、前側にある前記第一固定ブロック31の後ろ側端面に前記第二昇降溝45に入り込む第三固定ブロック44が固定接続され、前記第二接続支柱29の中に第三昇降溝24が左右貫いて設置され、前記第一接続支柱21が前記第三昇降溝24に近づく片側端面に前記第三昇降溝24に入り込む第四固定ブロック22が前後対称で固定設置され、前記第三昇降溝24の後ろ側内壁に第一電機41が固定設置され、前記第一電機41の前側且つ前記第三昇降溝24の中にある回れる且つ前記第四固定ブロック22に噛み合い係合接続される第一歯車46が前後対称で設置され、前後対称で設置される前記第一歯車46の間に第一線巻き輪43が設置され、前記第一線巻き輪43と前記第一歯車46が同じ回転軸を通じて前記第一電機41の先端に伝動できるように係合し接続され、前記第一線巻き43に第一張り線25が巻き付かれ、前記第二接続支柱29が前記第一接続支柱21から離れる片側に第三接続支柱32が設置され、前記第三接続支柱32の前後側端面に第五固定ブロック37が固定接続され、前記第二接続支柱29の後ろ側端面に上下貫いて且つ開き口が後ろ向きの第四昇降溝33が設置され、後ろ側にある前記第五固定ブロック37の前側端面に前記第四昇降溝33に入り込み且つ前記第四昇降溝33の内壁に滑り係合接続される第六固定ブロック34が固定設置され、前記第二接続支柱29の前側端面に上下貫いて且つ開き口が前向きの第五昇降溝35が設置され、前記第五固定ブロック37の後ろ側端面に前記第五昇降溝35に入り込み且つ前記第五昇降溝35の内壁に滑り係合接続される第七固定ブロック36が固定設置され、前記第三接続支柱32が前記第三昇降溝24に近づく片側端面の下端も第八固定ブロック26が固定接続され、前記第三昇降溝24の前後側端面の間に第一リード線輪28が回り係合接続され、前記第一リード線輪28の下側且つ前記第三昇降溝24の前後側端面にストッパー27が固定設置され、前記第一張り線25の一端が前記第一リード線輪28を巻きついて前記第八固定ブロック26の上側端面に固定接続され、前記ストッパー27で前記第八固定ブロック26が上昇する途中前記第一リード線輪28にぶつがることを防ぐ。
【００１５】
有益的には、前記太陽エネルギー装置が第三接続支柱32の上端に固定接続される第二装置主体12を含み、前記第二装置主体12の中に開き口が上向きの第一中空チャンバ56が設置され、前記第一中空チャンバ56の下側内壁に開き口が上向きの第二中空チャンバ52が設置され、前記第一中空チャンバ56の下側端面に第二電機55が前記第二中空チャンバ52を中心に左右対称で固定設置され、前記第一中空チャンバ56の中に第一連結ブロック70が回転可能に設置され、前記第一中空チャンバ56の内周側の上端に前記第一連結ブロック70に係合う回転ガイドブロック61が固定接続され、前記第一連結ブロック70の下側端面に前記第二中空チャンバ52に入り込む第二連結ブロック53が固定接続され、前記第二連結ブロック53の中に第三電機54が固定設置され、前記第一連結ブロック70の下側端面に環状で開き口が下向きの第三中空チャンバ62が設置され、前記第三中空チャンバ62が前記第二連結ブロック53から離れる片側の内壁に第三連結ブロック57が固定設置され、前記第三中空チャンバ62の中に前記第三連結ブロック57に噛み合う第二歯車58が設置され、前記第二歯車58の下端面が回転軸を通じて前記第二電機55の上端に伝動できるように係合し接続され、前記第一連結ブロック70の中に開きチャンバ69が設置され、前記開きチャンバ69の中に第二線巻き輪67が回転可能に設置され、前記第二線巻き輪67の下端が回転軸を通じて前記第三電機54の上端に伝動できるように係合し接続され、前記第二線巻き輪67にお互いに逆方向で巻き接続される第二張り線77と第三張り線66が巻き付かれ、前記開きチャンバ69の左右両側の内壁に前記第二線巻き輪67を中心に第二リード線輪65が固定設置され、前記第一連結ブロック70の上端面の中心に第四連結ブロック73が固定接続され、前記第四連結ブロック73の中に前記開きチャンバ69に連結される第四中空チャンバ74が貫いて設置され、前記第四中空チャンバ74の中に第五連結ブロック75が設置され、前記第五連結ブロック75の外側端面と前記第四中空チャンバ74がばね76で係合接続され、前記第五連結ブロック75の下端が接続軸を通じて第六連結ブロック78が固定接続され、前記第二張り線77のもう一端が左側にある前記第二リード線輪65を巻きついて前記第五連結ブロック75の左側端面に固定接続され、前記第三張り線66のもう一端が右側にある前記第二リード線輪65を巻きついて前記第五連結ブロック75の右側端面に固定接続され、前記第五連結ブロック75の上端に連結支柱68が固定接続され、前記連結支柱68の上端に太陽エネルギー固定板63が固定接続され、前記太陽エネルギー固定板63の上端面に太陽光パネル64が固定設置される。
【００１６】
有益的には、前記第一連結ブロック70の上端面にバッテリー固定板71が固定接続され、前記バッテリー固定板71の中にバッテリー72が固定設置され、前記バッテリー72と前記太陽光パネル64が電気で接続される。
【００１７】
有益的には、前記第二装置主体12の下側端面に緩衝ブロック51が左右対称で固定接続され、前記緩衝ブロック51で前記第二装置主体12が下がる時、前記第二装置主体12と前記第一固定ブロック31の衝撃力を緩める。
【００１８】
有益的には、前記第二装置主体12の周側端面に交通信号機59が固定設置される。
【００１９】
有益的には、前記前進装置が前記第一装置主体11の下側端面に設置される開き口が下向きの前進チャンバ82を含み、前記前進チャンバ82の前後側内壁の間に回転軸を通じて前進輪81が回り係合接続され、前記第一装置主体11の前後側と左右側端面に衝撃予防板83が固定設置され、前記前進輪81で本装置の運びに協力して、前記衝撃予防板83が本装置を運ぶ時に衝撃を生じることを防ぐ。
【００２０】
初期状態の時、第二接続支柱29の下端面が第一装置主体11の上端面に当接する同時に、第三接続支柱32の下端面が第一装置主体11の上端面に当接し、この時、第二装置主体12が最大限で下がって、緩衝ブロック51の下端面が第一固定ブロック31の上端面に当接する同時に、太陽エネルギー固定板63が水平状態にある。
【００２１】
本装置で交通指示する時、第一電機41が起動され、回転軸を通じて第一歯車46を動かして回せ、第一歯車46と第四固定ブロック22の噛み合いを通じて、第四固定ブロック22を動かして上げさせ、第二接続支柱29を動かして上げさせ、それと同時に、第一線巻き輪43が回り、第一張り線25を通じて第八固定ブロック26を引っ張って、第八固定ブロック26を動かして第一接続支柱21に相対して上げさせ、前記第三接続支柱32を動かして第二接続支柱29に相対して上げさせ、第二装置主体12を動かして上げさせて、後方車両が交通信号機59の指示状況をはっきり見届けるに役立ち、それと同時に、第三電機54が回り、第二巻き線輪67を動かして回せ、第二張り線77を引っ張る同時に第三張り線66を緩め、または第三張り線66を引っ張る同時に第二張り線77を緩め、それによって、第六連結ブロック78を引っ張って左右回せ、第五連結ブロック75を引っ張って左右回せ、連結支柱68を通じて太陽エネルギー固定板63を動かしてひっくり返せ、太陽光パネル64を最大限で太陽に向かい合わせ、それと同時に、第二電機55が回って、回転軸を通じて第二歯車58を動かして回せ、第二歯車58と第三連結ブロック57の噛み合いで第一連結ブロック70を動かして回せ、それと同時に、第三電機54が回って太陽エネルギー固定板63を動かして最大限で太陽に向かい合わせ、最大限で太陽エネルギーを転化して、転化された電気をバッテリー72に貯蔵して市内電気の消耗を抑える。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。